(57)【要約】      （修正有）【課題】飲食物を入れた容器の長時間の保冷を行う。【解決手段】飲食物を入れた容器８が入る口部から飲食物を入れた容器８を収納し、飲食物を入れた容器８の側部８２を囲む、第一シート３の側部と第二シート４の側部４２との、飲食物を入れた容器８の側部８２と対向する位置に形成された、第一シート３の側部と第二シート４の側部４２とからなるポケット５１、５１によって飲食物を入れた容器８の側部８２を挟み込んで、ポケット５１、５１にそれぞれ保冷材７、７を入れた飲食容器１。【選択図】図６
2019107052.tif 000002
【特許請求の範囲】
【請求項１】
飲食物を入れた容器が入る口部が形成され、前記飲食物を入れた容器の、少なくとも底部から胴部にかけて被い、前記飲食物を入れた容器を収納する、飲食容器において、
収納された、前記飲食物を入れた容器の底部が当接する、前記口部と反対側に形成された底部と、
対向して重ね合わせられて、前記底部側に配置され、前記飲食物を入れた容器の側面と対向する、前記飲食容器の側面を形成した、複数のシートを具備し、
該複数のシートの内、収納された、前記飲食物を入れた容器の側面と対向する、前記口部側の、第一シートの端部側と、前記口部側の、前記第一シートと対向し、前記第一シートより前記底部からの高さが高い第二シートの側部とで開口をなし、該開口から通じる前記第一シートの側部と前記第二シートの側部とでなすポケットが１以上形成され、該ポケットには保冷剤が入ったことを特徴とする飲食容器。
【請求項２】
対向して重ね合わされた、前記第一シートの側部と前記第二シートの側部では、少なくとも一箇所の対向する位置で、前記口部側の、前記第一シートの端部側から前記底部側に沿って前記第一シートの側部と前記第二シートの側部をつなぎ合わせることで、前記口部側の、前記第一シートの端部側と前記第二シートの側部側とでなす開口から、前記第一シートの側部と前記第二シートの側部とに通じるポケットを形成したことを特徴とする請求項１に記載の飲食容器。
【請求項３】
前記第一シート及び前記第二シートはアルミ製であることを特徴とする請求項２に記載の飲食容器。
【請求項４】
前記第一シートには、孔部が形成されていることを特徴とする請求項３に記載の飲食容器。
【発明の詳細な説明】
【技術分野】
【０００１】
本発明は、ペットボトル、瓶、及、缶及びお弁当箱等の飲食物を入れた容器の長時間の保冷を行う飲食容器に関する。
【背景技術】
【０００２】
ペットボトル、瓶、及び缶及びお弁当箱等を含めた飲食物を入れた容器２００については、特に、夏場、冷却の状態を長時間にわたって維持したい場合がある。そのような冷却の状態の維持のために、例えば、図８に示す技術が開示されている。図８では、高分子吸収体である保冷シート１００を用いて、保冷シート１００に水分を吸収させた後に冷蔵庫で冷蔵・冷凍させてから、容器２００の底面を保冷シート１００の底面当接部１０２に当てて折り曲げ、容器２００の側面に保冷シート２００の両側を当接させている。そして、保冷シート１００の両側の開孔１０１を容器２００の口部２０１に挿通して掛け留めて、容器２００の側面を包んだ状態に保持することで、保冷シート１００に吸収されて、冷蔵・冷凍された水分で容器２００を保冷する、というものである（特許文献１）。
【先行技術文献】
【特許文献】
【０００３】
【特許文献１】特開２０００−１４２８３８（段落０００９、図３）
【発明の概要】
【発明が解決しようとする課題】
【０００４】
しかしながら、図８に示す構成では、保冷シート１００が大気中に直接さらされることになるため、保冷シート１００自体が容易に暖まりやすく、特に夏の暑い日など長時間にわたって飲食物を入れた容器２００を保冷することは容易ではない。また、保冷に際しては、保冷シート１００に限られることなく、飲食物を入れた容器２００を包み込むものとして容器状の形状のものを用い、容器状の形状のものの中に保冷剤と共に飲食物を入れた容器２００を入れ保冷することも可能である。その場合、容器状の形状のものと飲食物を入れた容器２００との間で、保冷剤を挟み込む構成をとることが可能である。その場合、単に保冷剤を飲食物を入れた容器２００と飲食物を入れた容器２００を包み込む容器状のものとの間に配置するだけでは、保冷剤からの冷気が短時間で消失してしまい易く、保冷剤の機能を短時間で失わせることになり、飲食物を入れた容器２００の長時間にわたる保冷が難しい。
【０００５】
本発明は、上記の事情に鑑みなされたものであり、飲食物を入れた容器に対して保冷剤を適切な位置に配置すると共に、保冷剤の冷気を長持ちさせて飲食物を入れた容器の長時間の保冷を行う飲食容器を提供することを目的とする。
【課題を解決するための手段】
【０００６】
請求項１に記載の発明は、飲食物を入れた容器が入る口部が形成され、前記飲食物を入れた容器の、少なくとも底部から胴部にかけて被い、前記飲食物を入れた容器を収納する、飲食容器において、収納された、前記飲食物を入れた容器の底部が当接する、前記口部と反対側に形成された底部と、対向して重ね合わせられて、前記底部側に配置され、前記飲食物を入れた容器の側面と対向する、前記飲食容器の側面を形成した、複数のシートを具備し、該複数のシートの内、収納された、前記飲食物を入れた容器の側面と対向する、前記口部側の、第一シートの端部側と、前記口部側の、前記第一シートと対向し、前記第一シートより前記底部からの高さが高い第二シートの側部とで開口をなし、該開口から通じる前記第一シートの側部と前記第二シートの側部とでなすポケットが１以上形成され、該ポケットには保冷剤が入ったことを特徴とする。
【０００７】
従って、請求項１に記載の発明によれば、第一シートと第二シートの高さが異なり、収納された、飲食物を入れた容器に対向する第一シートの高さより第二シートの高さを高くすることで第一シートと第二シートとでなすポケットの位置を容易に確認することが可能となり、ポケットに保冷剤を入れ易くすることを可能にしている。また、飲食物を入れた容器に隣接して保冷剤を配置することになるので飲食物を入れた容器の保冷を行うことが可能になる。
【０００８】
また、請求項２に記載の発明は、請求項1に記載の構成に加え、対向して重ね合わされた、前記第一シートの側部と前記第二シートの側部では、少なくとも一箇所の対向する位置で、前記口部側の、前記第一シートの端部側から前記底部側に沿って前記第一シートの側部と前記第二シートの側部をつなぎ合わせることで、前記口部側の、前記第一シートの端部側と前記第二シートの側部側とでなす開口から、前記第一シートの側部と前記第二シートの側部とに通じるポケットを形成したことを特徴とする。
【０００９】
従って、請求項２に記載の発明によれば、重ね合わされて飲食容器の側面を形成した、第一シートと第二シートとを対向する位置でつなぎ合わせているのでポケット同士が対向することになり、収納された、飲食物を入れた容器を挟み込むことになり、ポケットに保冷剤を入れることで飲食物を入れた容器の保冷効果を上げ易くしている。
【００１０】
さらに、請求項３に記載の発明は、請求項２に記載の構成に加え、前記第一シート及び前記第二シートはアルミ製であることを特徴とする。
【００１１】
従って、請求項３に記載の発明によれば、保冷剤を入れるポケットを形成する、第一シートと第二シートとをアルミ製であることから、ポケット内の保冷剤による冷気を逃がし難くすることが可能となり、飲食容器内の保冷時間を伸ばす一助となしている。また、アルミ製であることから、飲食容器へ外気の影響を排除し易く、飲食容器内の温度上昇を抑制し、飲食物を入れた容器の保冷状態を維持し易くする。
【００１２】
また、請求項４に記載の発明は、請求項３に記載の構成に加え、前記第一シートには、孔部が形成されていることを特徴とする。
【００１３】
請求項４に記載の発明によれば、第一シートに形成された孔部により、ポケットに入れた保冷剤からの冷気を飲食物を入れた容器に向けて除々に出すことになり、ポケット内の冷気を少しずつ減少させることで、ポケット内の保冷効果を長く持続させることが可能になる。
【発明の効果】
【００１４】
本発明によれば、第一シートと第二シートとで仕切られた空間であるポケット内では、ポケットに入れられた保冷材が冷気を発し、ポケット内が保冷材による冷気で満たされ、満たされた冷気はポケットの（第一シートの）孔部から第一シートで囲まれた空間へ流れ出て、第一シートで囲まれた空間にある飲食物を入れた容器を冷やす。その際、保冷材からの冷気は孔部から除々に（少しずつ）第一シートで囲まれた空間へ流れていくため保冷材からの冷気が一気に流れるというものではないため、保冷材の保冷効果が一気に低下することはない。その結果、保冷材が入ったポケットには冷気が満たされた状態が長く続き、保冷材自体の保冷効果を持続させることになり、ポケットから第一シートで囲まれた空間へ長時間にわたって冷気を送れる。
【図面の簡単な説明】
【００１５】
【図１】本発明である飲食容器の斜視図である。（ａ）は、飲食容器の外観を示す斜視図である。（ｂ）は、飲食容器に飲食物を入れた容器を入れた状態を示す斜視図である。
【図２】飲食容器内の、第一シートと第二シートとの位置関係を示す斜視図である。
【図３】飲食容器に入る第一シートを示す説明図である。（ａ）は、第一シートを示す説明図である。（ｂ）は、第一シートを飲食容器に入れるために丸めた状態を示す説明図である。
【図４】飲食容器に入る第一シートを示す説明図である。（ａ）は、第一シートを示す説明図である。（ｂ）は、第一シートを飲食容器に入れるために丸めた状態を示す説明図である。
【図５】第一シートと第二シートとの関係を示す説明図である。
【図６】飲食容器に飲食物を入れた容器を入れると共に、保冷材を入れた状態を示す説明図である。
【図７】図６に示すＡ−Ａ線に沿う断面を示す説明図である。
【図８】特許文献１に示す、容器入り冷蔵飲料の保冷シートの使用状態を示す斜視図である。
【発明を実施するための形態】
【００１６】
以下、本発明の実施の形態について説明する。
【００１７】
図１では、本発明の飲食容器１の全体が示されている。本例での飲食容器１は略円筒状の形状をなしているが、特に、略円筒状の形状に限定されることなく、立方体状の形状、或いは直方体状の形状等、種々の形状をとることが可能である。本例の飲食容器１では、複数のシートが飲食容器１の底部１１側に配置され、対向して重ね合わされて、収納された、飲食物を入れた容器８の側部（側面）８２対向して飲食容器１の側部（側面）１２を形成している（収納された、飲食物を入れた容器８の側部８２を囲んでいる）。本例では、飲食容器１の外側を形成するシートは略円筒状の容器２をなしており、図１（ａ）に示すように、外側にある略円筒状の容器２は、基本的には、樹脂製の繊維部材である、底部２１と側部（側面）２２とから構成されている。本例では、飲食容器１の外側をなす、略円筒状の容器２の、シートである円盤状の底部２１と、シートを丸めることで円筒状に形成した側部２２は縫い付けることで連結されている。具体的には、底部２１の縁２１１側に側部２２の端部２２２を縫い付けて連結することで、底部２１と対向する側部２２の端部２２１側が口部２３をなすことになる。なお、本例では、底部２１と側部２２とを縫い付けることで連結しているが、必ずしも縫い付けることに限定されず、底部２１及び側部２２の材質のよっては溶着等によって連結することも可能である。
【００１８】
また、底部２１の大きさは、ペットボトル、瓶、及び缶等を含めた飲食物を入れた容器８の底部８１が載れる大きさであり、側部２２の長さ(高さ)は、ペットボトル、瓶、及び缶等を含めた飲食物を入れた容器８の底部８１から側部８２にかけて被える長さ(高さ)となっている。従って、図１（ｂ）に示すように、飲食容器１の口部１３から飲食物を入れた容器８（の側部８２）を飲食容器１の側部１２に沿って入れて、飲食物を入れた容器８の底部８１が飲食容器１の底部１１に当接することで飲食容器１に飲食物を入れた容器８を入れたことになる。そして、最終的には、飲食容器の口部１３側に形成された、口部１３に沿って紐部材６が収納された部分６２から出ている紐部材６に沿って係止部材６１を飲食容器１側に移動することで紐部材６が収納された部分が縮み飲食容器１を閉じることになる。
【００１９】
飲食容器１に飲食物を入れた容器８を入れた略円筒状の容器２内では、図２に示すように、シートを丸めることで円筒状に形成した、第一シート３の側部３２と第二シート４の側部４２が、略円筒状の容器２の側部２２と共に、飲食容器１の側部（側面）１２を形成しており、飲食容器１の口部１３から入った、飲食物を入れた容器８の側部（側面）８２と対向している（収納された、飲食物を入れた容器８の側部８２を囲んでいる）。また、略円筒状の容器２の底部２１上には、第二シート４の底部４１、第一シート３の底部３１の順に載り、飲食物を入れた容器８の底部８１は第一シート３の底部３１に載ることになり、飲食容器１の底部１１を形成している。以上のようにして、飲食容器１の側部１２では、略円筒状の容器２の側部２２、第一シート３の側部３２、及び第二シート４の側部４２が対向して、略円筒状の容器２の底部２１側（飲食容器１の底部１１側）に配置されることになる。
【００２０】
ここで、略円筒状の容器２と隣接して配置される第二シート４は、図４（ａ）に示すように、長方形の形状の形状をなしており、本例においては、第二シート４を図４（ｂ）に示すように、丸めて第二シート４の縁４４、４４同士をつなぎ合わせる（縫い合わせる）ことで略円筒状の形状にし、第二シート４の端部４２１側を口部４３とし、第４シート３の端部４２２側を底部４１とつなぎ合わせ（縫い合わせ）ている。第二シート４は略円筒状の容器２に入ることになるため、第二シート４の外形は略円筒状の容器２の外形より小さくなる。また、第二シート４と隣接して配置される第一シート３は、図３（ａ）に示すように、第二シート４と同様に、長方形の形状をなしている。ただし、第一シート３の端部３２１、３２２同士の幅が第二シート４の端部４２１、４２２同士の幅より短い。また、第一シート３は、第二シート４とは異なり、端部３２２側に孔部３５が複数形成されている。本例では、孔部３５は、第一シート３の、端部３２１と端部３２２との間の長さ（幅）に対して、端部３２２から、端部３２１と端部３２２との間の長さ（幅）の１／３の位置に形成されている。
【００２１】
ただし、端部３２１と端部３２２との間の長さ（幅）の１／３の位置に限定されることなく、第一シート３の、端部３２１と端部３２２との間のいずれの位置に形成ことが可能である。孔部３５の位置は、基本的には、飲食容器１の大きさ、形状等により決定されることになる。本例では、図４（ａ）に示すように、端部３２２側の三箇所に孔部３５が形成されているが、三箇所に限定されることなく三箇所以上とすることも可能であり、三箇所より少なくすることも可能である。孔部３５の大きさ、数は、あくまで飲食容器１の大きさ、形状等により決定されることになる。以上の構成をなす第一シート３は、図３（ｂ）に示すように、丸めて第一シート３の縁３４、３４同士をつなぎ合わせる（縫い合わせる）ことで、第二シート４と同様に、略円筒状の形状にし、第一シート４の端部３２１側を口部３３とし、第一シート３の端部３２２側を底部３１とつなぎ合わせ（縫い合わせ）ている。第一シート３は略円筒状の形状の第二シート４内に入ることになるため、第一シート３の外形は第二シート４の外形より小さくなる。
【００２２】
略円筒状の容器２内に入った、第一シート３（の側部３２）及び第二シート４（の側部４２）は対向して重ね合わされた状態にあり、第一シート３及び第二シート４は略円筒状の容器２内では連結されることになる。具体的には、図５に示すように、第一シート３の端部３２１の、対向する連結位置３６、３７から飲食容器１の底部２１側に沿って第一シート３の側部３２と第二シート４の側部４２とを縫い合わせることで連結している（つなぎ合わせている）。その結果、第一シート３の端部３２１と第二シート４の端部４２１とで開口５が形成され、開口５から通じる第一シート３の側部３２と第二シート４の側部４２とでなすポケット５１が形成される。本例では、第一シート３の側部３２と第二シート４の側部４２とを縫い合わせることで連結した縫い合わせ位置５２、５２がポケット５１、５１同士の閾をなしており、本例では１以上のポケット５１である二個のポケット５１が形成されている。本例では、対向する連結位置３６、３７で第一シート３及び第二シート４を縫い合わせているが、必ずしもこのような縫い合わせに限定されることはない。
【００２３】
例えば、第一シート３の端部３２１の任意の二箇所の位置から第一シート３の底部３１へ向かって第一シート３と第二シート４とを縫い合わせて、第一シート３の底部３１側の第一シート３の側部３２で第一シート３の端部３２１から第一シート３と第二シート４とを縫い合わせた終端同士から終端同士の向かって縫い合わせることで、第一シート３の端部３２１側を開口とする、独立したポケットを形成することで飲食容器１内に１以上のポケットを形成することも可能である。
【００２４】
以上のように形成されたポケット５１、５１には、保冷材７、７を入れることになる。具体的には、ポケット５１、５１をなす、第一シート３の側部３２と第二シート４の側部４２とに間に保冷材７、７を入れる。本例では、第一シート３の端部３２１のほぼ中央に、対向する連結位置３６、３７（第一シート３の側部３２と第二シート４の側部４２とを連結する位置）を形成しているため、ポケット５１、５１同士が対向して同じ大きさとなっている（図５参照）。その結果、保冷材７、７をポケット５１、５１へ入れると容易に保冷材７、７同士が対向することになる。
【００２５】
つぎに、本発明である飲食容器１の使用状態を説明する。図６に示すように、ポケット５１、５１内に保冷材７、７を入れた、飲食容器１内に飲食物を入れた容器８を入れる。具体的には、図６に示すように、飲食物を入れた容器８を飲食容器１の側部１２に沿って飲食容器１内へ入れる。円筒状の形状の容器２の側部２２及び第二シート４の側部４２に沿って飲食物を入れた容器８を飲食物を入れた容器８を移動させる。飲食物を入れた容器８を第二シート４の側部４２に沿って移動させ、飲食物を入れた容器８の底部８１が第一シート３の端部３２１を通過させる。飲食物を入れた容器８の底部８１が第一シート３の端部３２１を通過させることで、飲食物を入れた容器８は第一シート３の側部３２に沿って移動し、飲食容器１の底部１１（第一シート３の底部３１）に到達し、飲食物を入れた容器８の移動が完了する。さらに、図示しない、紐部材６に沿って係止部材６１を飲食容器１側に移動することで紐部材６が収納された部分が縮み飲食容器１を閉じる（図１参照）。以上の動作により、飲食物を入れた容器８は飲食容器１内で保持される。
【００２６】
飲食物を入れた容器８が飲食容器１の底部１１に到達することで飲食容器１の側部１２に形成されたポケット５１、５１に入れた保冷材７、７に挟み込まれた状態になる。具体的には、図７に示すように、飲食容器１内のポケット５１、５１に入れられた保冷材７、７が一直線上に並び（対向して）、第一シート３の側部３２を挟み込んで飲食物を入れた容器８と並び、保冷材７、７の飲食物を入れた容器８側は第一シート３の側部３２によって支持され、保冷材７、７の飲食物を入れた容器８側とは反対側は、飲食容器１の側部１２側である、略円筒状の容器２の側部２２と第二シート４の側部４２とで支持された状態になる。以上のようにして、保冷材７、７はポケット５１、５１内で支持され、飲食物を入れた容器８を挟み込んだ状態が維持される。
【００２７】
この状態により、保冷材７、７の冷気が第一シート３の孔部３５より第一シート３の側部３２から飲食物を入れた容器８側へ流れ出る。ただし、保冷材７、７と飲食物を入れた容器８との間には、第一シート３の側部が形成されて、構成としては保冷材７、７と飲食物を入れた容器８とを遮蔽しており、冷気は、孔部３５を通して飲食物を入れた容器８側へ流れるのみである。その結果、ポケット５１、５１内である第一シート３の側部３２と第二シート４の側部４２の間には保冷材７、７による冷気で満たされる。冷気は、第一シート３の孔部３５から流れ出るのみであるため、大量の冷気が飲食物を入れた容器８側へ流れ出ることなく孔部３５の大きさに限定された少量の冷気が飲食物を入れた容器８側へ流れ出る。そのため、ポケット５１、５１内である第一シート３の側部３２と第二シート４の側部４２の間には保冷材７、７による冷気は保冷材７、７と共に存在することになり、ポケット５１、５１内の温度が冷気により低い状態（低温状態）に長時間保たれる。その結果、第一シート３の側部３２を介してポケット５１、５１側からの低温効果が飲食物を入れた容器８に伝わり続けると共に、保冷材７、７からの直接の冷気を長時間にわたって飲食物を入れた容器８側へ送ることになる。
【００２８】
本例においては、略円筒状の容器２、第一シート３、及び第二シート４は、全て樹脂製の繊維部材であり、樹脂製の繊維部材だけの構成においても飲食物を入れた容器８の保冷の時間の長時間化の実現が可能である。さらに長い保冷時間の確保を図るためには、略円筒状の容器２を、樹脂製の繊維部材とし、第一シート３及び第二シート４をアルミ製とすることになる。この構成の場合、第一シート３及び第二シートをアルミ製としているため、飲食容器１の外部から伝わる熱（高温）が略円筒状の容器２を通過しても第二シート４で遮断されることになり、飲食容器１内の飲食物を入れた容器８に外部からの熱（高温）が伝わり難くなる。さらに、図７に示すように、ポケット５１、５１内では、第一シート３と第二シート４とで仕切られた空間に入れられた保冷材７、７が冷気を発し、第一シート３と第二シート４とで仕切られた空間が保冷材７、７による冷気で満たされ、満たされた冷気はポケット５１、５１の（第一シート３の）孔部３５から第一シート３で囲まれた空間５３へ流れ出て、第一シート３で囲まれた空間５３にある飲食物を入れた容器８を冷やす。その際、保冷材７、７からの冷気は孔部３５から除々に（少しずつ）ポケット５１、５１へ流れていくため保冷材７、７からの冷気が一気に流れるというものではない。その結果、保冷材７、７が入ったポケット５１、５１には冷気が満たされた状態が長く続き、保冷材７、７自体の保冷効果を持続させることになり、ポケット５１、５１から第一シート３で囲まれた空間５３へ長い時間にわたって冷気を送れる。
【符号の説明】
【００２９】
１…飲食容器、１１…底部、１２…側部（側面）、１３…口部
２…略円筒状の容器、２１…底部、２１１…縁、２２…側部（側面）、２２１、２２２…端部、２３…口部
３…第一シート、３１…底部、３２…側部（側面）、３２１、３２２…端部、３３…口部、３４…縁、３５…孔部、３６、３７…連結位置
４…第二シート、４１…底部、４２…側部（側面）、４２１、４２２…端部、４３…口部、４４…縁  
５…開口、５１…ポケット、５２…縫い合わせ位置、５３…空間
６…紐部材、６１…係止部材、６２…紐部材が収納された部分
７…保冷材
８…飲食物を入れた容器、８１…底部、８２…側部（側面）
【図１】
2019107052.tif 000003
【図２】
2019107052.tif 000004
【図３】
2019107052.tif 000005
【図４】
2019107052.tif 000006
【図５】
2019107052.tif 000007
【図６】
2019107052.tif 000008
【図７】
2019107052.tif 000009
【図８】
2019107052.tif 000010